(57)【要約】【課題】例えば録画装置の修理等を行った場合であっても、第１の記録媒体に録画された放送番組を視聴することができる録画装置を提供する。【解決手段】録画装置２は、放送番組を受信するチューナ８と、受信された放送番組を予め定められた第１の暗号鍵により暗号化する第１の暗号処理部２８と、暗号化された放送番組を外付け型ＨＤＤ６に録画する録画部２４と、録画装置２に固有の情報に基づいて、第２の暗号鍵を生成する生成部２６と、外付け型ＨＤＤ６を第２の暗号鍵により暗号化する第２の暗号処理部３０とを備える。【選択図】図１
2019220881.tif 000002
【特許請求の範囲】
【請求項１】
外付け型の第１の記録媒体と接続される録画装置であって、
放送番組を受信するチューナと、
受信された前記放送番組を予め定められた第１の暗号鍵により暗号化する第１の暗号処理部と、
暗号化された前記放送番組を前記第１の記録媒体に録画する録画部と、
前記録画装置に固有の情報に基づいて、第２の暗号鍵を生成する生成部と、
前記第１の記録媒体を前記第２の暗号鍵により暗号化する第２の暗号処理部と、を備える
録画装置。
【請求項２】
前記第１の記録媒体が前記録画装置に接続された際には、前記第２の暗号処理部は、前記第１の記録媒体を前記第２の暗号鍵により暗号化し、前記第１の暗号処理部は、前記第１の暗号鍵を前記第１の記録媒体に記憶させ、
前記第１の記録媒体が前記録画装置から取り外された後に前記録画装置に再度接続された際には、前記第２の暗号処理部は、前記第２の暗号鍵により前記第１の記録媒体の暗号化を解除し、前記第１の暗号処理部は、前記第１の暗号鍵を前記第１の記録媒体から読み出す
請求項１に記載の録画装置。
【請求項３】
前記録画装置は、さらに、前記第２の暗号鍵と同一の暗号鍵である所定の暗号鍵を記憶するための記憶部を備え、
前記録画装置が起動された際には、前記生成部は、前記所定の暗号鍵を生成して前記記憶部に記憶させ、
前記第１の記録媒体が前記録画装置から取り外された後に前記録画装置に再度接続された際には、前記第２の暗号処理部は、前記所定の暗号鍵を前記記憶部から読み出し、且つ、前記所定の暗号鍵により前記第１の記録媒体の暗号化を解除する
請求項２に記載の録画装置。
【請求項４】
前記録画装置は、さらに、
前記録画装置に搭載された内蔵型の第２の記録媒体と、
前記第２の暗号鍵を記憶するための記憶部と、を備え、
前記第１の記録媒体が前記録画装置に接続された際には、前記第２の暗号処理部は、前記第１の記録媒体を前記第２の暗号鍵により暗号化し、且つ、前記第２の暗号鍵を前記第２の記録媒体に記憶させ、
前記録画装置が起動された際には、前記第２の暗号処理部は、前記第２の暗号鍵を前記第２の記録媒体から読み出して前記記憶部に記憶させ、
前記第１の記録媒体が前記録画装置から取り外された後に前記録画装置に再度接続された際には、前記第２の暗号処理部は、前記第２の暗号鍵を前記記憶部から読み出し、且つ、前記第２の暗号鍵により前記第１の記録媒体の暗号化を解除する
請求項１又は２に記載の録画装置。
【請求項５】
前記録画装置に固有の情報は、前記録画装置に搭載されたＢ−ＣＡＳ（ＢＳ  Ｃｏｎｄｉｔｉｏｎａｌ  Ａｃｃｅｓｓ  Ｓｙｓｔｅｍｓ）カードの番号を含む
請求項１〜４のいずれか１項に記載の録画装置。
【請求項６】
前記録画装置に固有の情報は、前記録画装置に対して付与されたシリアル番号を含む
請求項１〜４のいずれか１項に記載の録画装置。
【請求項７】
外付け型の第１の記録媒体と接続される録画装置の制御方法であって、
放送番組を受信するステップと、
受信された前記放送番組を予め定められた第１の暗号鍵により暗号化するステップと、
暗号化された前記放送番組を前記第１の記録媒体に録画するステップと、
前記録画装置に固有の情報に基づいて、第２の暗号鍵を生成するステップと、
前記第１の記録媒体を前記第２の暗号鍵により暗号化するステップと、を含む
録画装置の制御方法。
【発明の詳細な説明】
【技術分野】
【０００１】
本発明は、放送番組を録画するための録画装置及び録画装置の制御方法に関する。
【背景技術】
【０００２】
放送番組を録画するための録画装置が知られている（例えば、特許文献１参照）。録画装置には、例えば外付け型ＨＤＤ（Ｈａｒｄ  Ｄｉｓｋ  Ｄｒｉｖｅ）が接続される。録画装置及び外付け型ＨＤＤは、放送番組の著作権保護のため、１対１でペアリング（機器登録）される。この時、外付け型ＨＤＤ内のファイルシステム全体は、録画装置の内部のメモリに記憶されている暗号鍵（以下、「第１の暗号鍵」という）により暗号化される。なお、第１の暗号鍵は、録画装置の製造時において予め定められている。
【０００３】
外付け型ＨＤＤには、当該外付け型ＨＤＤと接続された録画装置により放送番組が録画される。なお、外付け型ＨＤＤを、録画時に接続されていた録画装置以外の電子機器に接続した場合には、当該電子機器は、上記第１の暗号鍵を有していないため、外付け型ＨＤＤの暗号化を解除することができない。そのため、外付け型ＨＤＤに録画された放送番組は、録画時に接続されていた録画装置以外の電子機器では視聴することができない。
【先行技術文献】
【特許文献】
【０００４】
【特許文献１】特開２００８−７８９７０号公報
【発明の概要】
【発明が解決しようとする課題】
【０００５】
例えば録画装置の修理時に、録画装置の内部の基板（メモリを含む）を交換する場合がある。この場合、基板の交換によりメモリに記憶された第１の暗号鍵が変更されるため、録画装置の修理後に録画装置及び外付け型ＨＤＤを再度ペアリングした際に、外付け型ＨＤＤの暗号化を解除することができなくなる。そのため、再ペアリング時に外付け型ＨＤＤをフォーマットする必要があり、外付け型ＨＤＤに録画された放送番組が消去されてしまうという課題が生じる。
【０００６】
本発明は、上述した課題を解決しようとするものであり、その目的は、例えば録画装置の修理等を行った場合であっても、第１の記録媒体に録画された放送番組を視聴することができる録画装置及び録画装置の制御方法を提供することである。
【課題を解決するための手段】
【０００７】
上記目的を達成するために、本発明の一態様に係る録画装置は、外付け型の第１の記録媒体と接続される録画装置であって、放送番組を受信するチューナと、受信された前記放送番組を予め定められた第１の暗号鍵により暗号化する第１の暗号処理部と、暗号化された前記放送番組を前記第１の記録媒体に録画する録画部と、前記録画装置に固有の情報に基づいて、第２の暗号鍵を生成する生成部と、前記第１の記録媒体を前記第２の暗号鍵により暗号化する第２の暗号処理部と、を備える。
【０００８】
本態様によれば、例えば録画装置の修理等を行った場合であっても、生成部は、録画装置に固有の情報に基づいて第２の暗号鍵を復元することができる。これにより、例えば録画装置の修理等を行った後に、録画装置と第１の記録媒体とを再度接続した際に、第２の暗号鍵により第１の記録媒体の暗号化を解除することができる。その結果、第１の記録媒体をフォーマットしなくても済み、ユーザは、第１の記録媒体に録画された放送番組を視聴することができる。
【０００９】
例えば、本発明の一態様に係る録画装置において、前記第１の記録媒体が前記録画装置に接続された際には、前記第２の暗号処理部は、前記第１の記録媒体を前記第２の暗号鍵により暗号化し、前記第１の暗号処理部は、前記第１の暗号鍵を前記第１の記録媒体に記憶させ、前記第１の記録媒体が前記録画装置から取り外された後に前記録画装置に再度接続された際には、前記第２の暗号処理部は、前記第２の暗号鍵により前記第１の記録媒体の暗号化を解除し、前記第１の暗号処理部は、前記第１の暗号鍵を前記第１の記録媒体から読み出すように構成してもよい。
【００１０】
本態様によれば、第１の暗号鍵を第１の記録媒体に記憶させるので、例えば録画装置の修理等を行った場合であっても、第１の暗号処理部は、第１の記録媒体から第１の暗号鍵を読み出すことにより、第１の記録媒体に録画された放送番組の暗号化を解除することができる。その結果、ユーザは、第１の記録媒体に録画された放送番組を視聴することができる。
【００１１】
例えば、本発明の一態様に係る録画装置において、前記録画装置は、さらに、前記第２の暗号鍵と同一の暗号鍵である所定の暗号鍵を記憶するための記憶部を備え、前記録画装置が起動された際には、前記生成部は、前記所定の暗号鍵を生成して前記記憶部に記憶させ、前記第１の記録媒体が前記録画装置から取り外された後に前記録画装置に再度接続された際には、前記第２の暗号処理部は、前記所定の暗号鍵を前記記憶部から読み出し、且つ、前記所定の暗号鍵により前記第１の記録媒体の暗号化を解除するように構成してもよい。
【００１２】
本態様によれば、第２の暗号鍵と同一の暗号鍵である所定の暗号鍵を記憶部に記憶させるので、例えば録画装置の修理等を行った後に、録画装置と第１の記録媒体とを再度接続した際に、記憶部に記憶された所定の暗号鍵により第１の記録媒体の暗号化を解除することができる。その結果、第１の記録媒体をフォーマットしなくても済み、ユーザは、第１の記録媒体に録画された放送番組を視聴することができる。
【００１３】
例えば、本発明の一態様に係る録画装置において、前記録画装置は、さらに、前記録画装置に搭載された内蔵型の第２の記録媒体と、前記第２の暗号鍵を記憶するための記憶部と、を備え、前記第１の記録媒体が前記録画装置に接続された際には、前記第２の暗号処理部は、前記第１の記録媒体を前記第２の暗号鍵により暗号化し、且つ、前記第２の暗号鍵を前記第２の記録媒体に記憶させ、前記録画装置が起動された際には、前記第２の暗号処理部は、前記第２の暗号鍵を前記第２の記録媒体から読み出して前記記憶部に記憶させ、前記第１の記録媒体が前記録画装置から取り外された後に前記録画装置に再度接続された際には、前記第２の暗号処理部は、前記第２の暗号鍵を前記記憶部から読み出し、且つ、前記第２の暗号鍵により前記第１の記録媒体の暗号化を解除するように構成してもよい。
【００１４】
本態様によれば、第２の暗号鍵を第２の記録媒体に記憶させるので、例えば録画装置の修理等を行った場合であっても、第２の暗号処理部は、第２の記録媒体から第２の暗号鍵を読み出し、読み出した第２の暗号鍵を記憶部に記憶させることができる。これにより、例えば録画装置の修理等を行った後に、録画装置と第１の記録媒体とを再度接続した際に、第２の暗号鍵により第１の記録媒体の暗号化を解除することができる。その結果、第１の記録媒体をフォーマットしなくても済み、ユーザは、第１の記録媒体に録画された放送番組を視聴することができる。
【００１５】
例えば、本発明の一態様に係る録画装置において、前記録画装置に固有の情報は、前記録画装置に搭載されたＢ−ＣＡＳ（ＢＳ  Ｃｏｎｄｉｔｉｏｎａｌ  Ａｃｃｅｓｓ  Ｓｙｓｔｅｍｓ）カードの番号を含むように構成してもよい。
【００１６】
本態様によれば、生成部は、録画装置に搭載されたＢ−ＣＡＳカードの番号に基づいて、第２の暗号鍵を容易に生成することができる。
【００１７】
例えば、本発明の一態様に係る録画装置において、前記録画装置に固有の情報は、前記録画装置に対して付与されたシリアル番号を含むように構成してもよい。
【００１８】
本態様によれば、生成部は、録画装置に対して付与されたシリアル番号に基づいて、第２の暗号鍵を容易に生成することができる。
【００１９】
また、本発明の一態様に係る録画装置の制御方法は、外付け型の第１の記録媒体と接続される録画装置の制御方法であって、放送番組を受信するステップと、受信された前記放送番組を予め定められた第１の暗号鍵により暗号化するステップと、暗号化された前記放送番組を前記第１の記録媒体に録画するステップと、前記録画装置に固有の情報に基づいて、第２の暗号鍵を生成するステップと、前記第１の記録媒体を前記第２の暗号鍵により暗号化するステップと、を含む。
【００２０】
本態様によれば、例えば録画装置の修理等を行った場合であっても、録画装置に固有の情報に基づいて第２の暗号鍵を復元することができる。これにより、例えば録画装置の修理等を行った後に、録画装置と第１の記録媒体とを再度接続した際に、第２の暗号鍵により第１の記録媒体の暗号化を解除することができる。その結果、第１の記録媒体をフォーマットしなくても済み、ユーザは第１の記録媒体に録画された放送番組を視聴することができる。
【００２１】
なお、本発明は、録画装置に含まれる特徴的な処理部としてコンピュータを機能させるためのプログラム又は録画装置の制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２２】
本発明の一態様に係る録画装置等によれば、例えば録画装置の修理等を行った場合であっても、第１の記録媒体に録画された放送番組を視聴することができる。
【図面の簡単な説明】
【００２３】
【図１】実施の形態１〜３に係る録画装置の構成を示すブロック図である。
【図２】実施の形態１に係る録画装置の初回起動時の動作の流れを示すフローチャートである。
【図３】実施の形態１に係る録画装置と外付け型ＨＤＤとの初回ペアリング時の動作の流れを示すフローチャートである。
【図４】実施の形態１に係る録画装置と外付け型ＨＤＤとの初回ペアリング時の動作を説明するための概念図である。
【図５】実施の形態１に係る録画装置の修理後起動時の動作の流れを示すフローチャートである。
【図６】実施の形態１に係る録画装置の修理後起動時の動作を説明するための概念図である。
【図７】実施の形態１に係る録画装置と外付け型ＨＤＤとの再ペアリング時の動作の流れを示すフローチャートである。
【図８】実施の形態１に係る録画装置と外付け型ＨＤＤとの再ペアリング時の動作を説明するための概念図である。
【図９】実施の形態２に係る録画装置と外付け型ＨＤＤとの初回ペアリング時の動作の流れを示すフローチャートである。
【図１０】実施の形態２に係る録画装置と外付け型ＨＤＤとの初回ペアリング時の動作を説明するための概念図である。
【図１１】実施の形態２に係る録画装置の修理後起動時の動作の流れを示すフローチャートである。
【図１２】実施の形態２に係る録画装置の修理後起動時の動作を説明するための概念図である。
【図１３】実施の形態２に係る録画装置と外付け型ＨＤＤとの再ペアリング時の動作の流れを示すフローチャートである。
【図１４】実施の形態２に係る録画装置と外付け型ＨＤＤとの再ペアリング時の動作を説明するための概念図である。
【図１５】実施の形態３に係る録画装置と外付け型ＨＤＤとの初回ペアリング時の動作の流れを示すフローチャートである。
【図１６】実施の形態３に係る録画装置と外付け型ＨＤＤとの初回ペアリング時の動作を説明するための概念図である。
【図１７】実施の形態３に係る録画装置と外付け型ＨＤＤとの再ペアリング時の動作の流れを示すフローチャートである。
【図１８】実施の形態３に係る録画装置と外付け型ＨＤＤとの再ペアリング時の動作を説明するための概念図である。
【発明を実施するための形態】
【００２４】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。
【００２５】
（実施の形態１）
［１−１．録画装置の構成］
まず、図１を参照しながら、実施の形態１に係る録画装置２の構成について説明する。図１は、実施の形態１に係る録画装置２の構成を示すブロック図である。
【００２６】
図１に示すように、録画装置２は、例えば、ＢＤ（Ｂｌｕ−ｒａｙ（登録商標）  Ｄｉｓｃ）又はＤＶＤ（Ｄｉｇｉｔａｌ  Ｖｅｒｓａｔｉｌｅ  Ｄｉｓｃ）等の光ディスクに格納された映像コンテンツを再生し、且つ、放送番組を録画するためのＢＤ／ＨＤＤレコーダである。
【００２７】
録画装置２は、例えば液晶テレビジョン受像機等の表示装置４に接続されている。録画装置２により再生された映像コンテンツ及び録画装置２により録画された放送番組等は、表示装置４に表示される。
【００２８】
また、録画装置２は、外付け型ＨＤＤ６（第１の記録媒体の一例）に接続されている。外付け型ＨＤＤ６は、データを記憶するための記録媒体であり、録画装置２の外部に接続される。外付け型ＨＤＤ６には、録画装置２の録画部２４（後述する）により放送番組が録画される。
【００２９】
図１に示すように、録画装置２は、チューナ８と、メモリ１０（記憶部の一例）と、制御部１２と、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子１４と、ＵＳＢ（Ｕｎｉｖｅｒｓａｌ  Ｓｅｒｉａｌ  Ｂｕｓ）端子１６と、ディスクドライブ１８と、内蔵型ＨＤＤ２０（第２の記録媒体の一例）とを備えている。
【００３０】
録画装置２の外部には、アンテナ２２が配置されている。アンテナ２２は、チューナ８と接続されており、放送局から発信された放送波（デジタル放送信号）を受信する。なお、放送波は、例えば地上デジタル放送、ＢＳデジタル放送及びＣＳデジタル放送等を放送するための電波を含む。
【００３１】
チューナ８は、アンテナ２２からの放送波に含まれる放送番組（デジタル放送番組）を受信する。
【００３２】
メモリ１０は、第１の暗号鍵、第２の暗号鍵（＝第４の暗号鍵）及び第３の暗号鍵を記憶するためのメモリである。第１の暗号鍵及び第３の暗号鍵は、チューナ８で受信された放送番組を暗号化及び暗号化を解除（復号）するための暗号鍵である。第２の暗号鍵（＝第４の暗号鍵）は、外付け型ＨＤＤ６を暗号化及び暗号化を解除するための暗号鍵である。なお、第１の暗号鍵は、録画装置２の製造時において予め定められている。
【００３３】
制御部１２は、例えばＬＳＩ（Ｌａｒｇｅ  Ｓｃａｌｅ  Ｉｎｔｅｇｒａｔｉｏｎ：大規模集積回路）で構成されている。制御部１２は、録画部２４と、生成部２６と、第１の暗号処理部２８と、第２の暗号処理部３０とを有している。
【００３４】
録画部２４は、チューナ８で受信され且つ第１の暗号処理部２８により暗号化された放送番組を、外付け型ＨＤＤ６又は内蔵型ＨＤＤ２０に録画する。
【００３５】
生成部２６は、録画装置２に固有の情報に基づいて、第２の暗号鍵（＝第４の暗号鍵）を生成する。具体的には、生成部２６は、例えば録画装置２に搭載されたＢ−ＣＡＳ（ＢＳ  Ｃｏｎｄｉｔｉｏｎａｌ  Ａｃｃｅｓｓ  Ｓｙｓｔｅｍｓ）カード３２の番号に基づいて、第２の暗号鍵（＝第４の暗号鍵）を生成する。この時、生成部２６は、例えばＢ−ＣＡＳカード３２の番号「００００−１１１１−２２２２−３３３３−４４４４」を含む第２の暗号鍵（＝第４の暗号鍵）を生成する。また、生成部２６は、所定の方法で第３の暗号鍵を生成する。生成部２６は、生成した第２の暗号鍵（＝第４の暗号鍵）及び第３の暗号鍵をメモリ１０に記憶する。なお、生成部２６は、録画装置２に対して付与されたシリアル番号に基づいて、第２の暗号鍵（＝第４の暗号鍵）を生成してもよい。
【００３６】
第１の暗号処理部２８は、メモリ１０に記憶された第１の暗号鍵により、チューナ８で受信された放送番組を暗号化及び暗号化を解除する。
【００３７】
第２の暗号処理部３０は、メモリ１０に記憶された第２の暗号鍵により、外付け型ＨＤＤ６を暗号化及び暗号化を解除する。なお、本明細書において、「外付け型ＨＤＤ６を暗号化及び暗号化を解除する」とは、外付け型ＨＤＤ６内のファイルシステム全体を暗号化及び暗号化を解除することを意味する。
【００３８】
なお、上述したメモリ１０及び制御部１２は、録画装置２の内部に搭載された制御基板３４に実装されている。
【００３９】
ＨＤＭＩ（登録商標）端子１４は、ＨＤＭＩ（登録商標）機器を接続するための端子である。本実施の形態では、ＨＤＭＩ（登録商標）端子１４には、ＨＤＭＩ（登録商標）機器として例えば表示装置４が接続されている。
【００４０】
ＵＳＢ端子１６は、ＵＳＢ機器を接続するための端子である。本実施の形態では、ＵＳＢ端子１６には、ＵＳＢ機器として例えば外付け型ＨＤＤ６が接続されている。
【００４１】
ディスクドライブ１８は、ＢＤ又はＤＶＤ等の光ディスクから映像コンテンツを読み出す。読み出された映像コンテンツは、制御部１２により再生され、表示装置４に表示される。
【００４２】
内蔵型ＨＤＤ２０は、データを記憶するための記録媒体であり、録画装置２に内蔵されている。内蔵型ＨＤＤ２０には、録画部２４により放送番組が録画される。
【００４３】
［１−２．録画装置の動作］
［１−２−１．初回起動時の動作］
次に、図２を参照しながら、実施の形態１に係る録画装置２の初回起動時の動作について説明する。図２は、実施の形態１に係る録画装置２の初回起動時の動作の流れを示すフローチャートである。
【００４４】
なお、「初回起動時」とは、例えばユーザが録画装置２の購入後に、録画装置２を最初に起動した時をいう。
【００４５】
図２に示すように、録画装置２が起動した後に（Ｓ１０１）、生成部２６は、Ｂ−ＣＡＳカード３２の番号に基づいて第２の暗号鍵を生成する（Ｓ１０２）。生成部２６は、生成した第２の暗号鍵をメモリ１０ａ（後述する図４参照）に記憶させる（Ｓ１０３）。なお、メモリ１０ａは、録画装置２の出荷時に、制御基板３４に実装されていたメモリ１０である。メモリ１０ａには、予め、第１の暗号鍵が記憶されている。
【００４６】
［１−２−２．外付け型ＨＤＤとの初回ペアリング時の動作］
次に、図３及び図４を参照しながら、実施の形態１に係る録画装置２と外付け型ＨＤＤ６との初回ペアリング時の動作について説明する。図３は、実施の形態１に係る録画装置２と外付け型ＨＤＤ６との初回ペアリング時の動作の流れを示すフローチャートである。図４は、実施の形態１に係る録画装置２と外付け型ＨＤＤ６との初回ペアリング時の動作を説明するための概念図である。
【００４７】
なお、「初回ペアリング時」とは、ユーザが外付け型ＨＤＤ６を録画装置２のＵＳＢ端子１６に初めて接続し、録画装置２と外付け型ＨＤＤ６とを最初にペアリングした時をいう。
【００４８】
図３に示すように、ユーザが外付け型ＨＤＤ６を録画装置２のＵＳＢ端子１６に接続した後に（Ｓ２０１）、録画装置２の制御部１２は、外付け型ＨＤＤ６がいわゆるＳｅｅＱＶａｕｌｔ（登録商標）に対応しているか否かを判定する（Ｓ２０２）。
【００４９】
なお、ＳｅｅＱＶａｕｌｔは、コンテンツの著作権を保護するための規格である。ＳｅｅＱＶａｕｌｔでは、ＳｅｅＱＶａｕｌｔ対応の録画装置２及び外付け型ＨＤＤ６を用いて放送番組を録画した場合に、当該録画装置２とは別のＳｅｅＱＶａｕｌｔ対応の電子機器であれば、当該外付け型ＨＤＤ６を接続して放送番組を再生することができる。外付け型ＨＤＤ６がＳｅｅＱＶａｕｌｔに対応している場合には（Ｓ２０２でＹＥＳ）、従来技術と同様の所定の処理が実行される（Ｓ２０３）。
【００５０】
一方、外付け型ＨＤＤ６がＳｅｅＱＶａｕｌｔに対応していない場合には（Ｓ２０２でＮＯ）、録画装置２の制御部１２は、外付け型ＨＤＤ６をフォーマットし（Ｓ２０４）、録画装置２と外付け型ＨＤＤ６とをペアリングする（Ｓ２０５）。
【００５１】
その後、図４に示すように、第２の暗号処理部３０は、メモリ１０ａに記憶された第２の暗号鍵により、外付け型ＨＤＤ６を暗号化する（Ｓ２０６）。また、第１の暗号処理部２８は、第１の暗号鍵をメモリ１０ａから読み出し、読み出した第１の暗号鍵を外付け型ＨＤＤ６に記憶させる（Ｓ２０７）。
【００５２】
その後、図４に示すように、チューナ８は、放送番組を受信する（Ｓ２０８）。第１の暗号処理部２８は、メモリ１０ａに記憶された第１の暗号鍵により、チューナ８で受信された放送番組を暗号化する（Ｓ２０９）。録画部２４は、第１の暗号処理部２８により暗号化された放送番組を、外付け型ＨＤＤ６に録画する（Ｓ２１０）。
【００５３】
［１−２−３．修理後起動時の動作］
次に、図５及び図６を参照しながら、実施の形態１に係る録画装置２の修理後起動時の動作について説明する。図５は、実施の形態１に係る録画装置２の修理後起動時の動作の流れを示すフローチャートである。図６は、実施の形態１に係る録画装置２の修理後起動時の動作を説明するための概念図である。
【００５４】
なお、「修理後起動時」とは、録画装置２の修理により制御基板３４を交換した後に、録画装置２を最初に起動した時をいう。
【００５５】
図５に示すように、ユーザが録画装置２を起動した後に（Ｓ３０１）、生成部２６は、第３の暗号鍵を生成する（Ｓ３０２）。図６に示すように、生成部２６は、生成した第３の暗号鍵をメモリ１０ｂに記憶させる（Ｓ３０３）。なお、メモリ１０ｂは、交換後の制御基板３４に実装されているメモリ１０である。
【００５６】
その後、生成部２６は、第２の暗号鍵と同様に、Ｂ−ＣＡＳカード３２の番号に基づいて第４の暗号鍵（所定の暗号鍵の一例）を生成する（Ｓ３０４）。すなわち、Ｂ−ＣＡＳカード３２の番号に基づいて生成される第４の暗号鍵は、第２の暗号鍵と同一である。図６に示すように、生成部２６は、生成した第４の暗号鍵をメモリ１０ｂに記憶させる（Ｓ３０５）。
【００５７】
［１−２−４．外付け型ＨＤＤとの再ペアリング時の動作］
次に、図７及び図８を参照しながら、実施の形態１に係る録画装置２と外付け型ＨＤＤ６との再ペアリング時の動作について説明する。図７は、実施の形態１に係る録画装置２と外付け型ＨＤＤ６との再ペアリング時の動作の流れを示すフローチャートである。図８は、実施の形態１に係る録画装置２と外付け型ＨＤＤ６との再ペアリング時の動作を説明するための概念図である。
【００５８】
なお、「再ペアリング時」とは、ユーザが外付け型ＨＤＤ６を録画装置２のＵＳＢ端子１６から取り外した後に、外付け型ＨＤＤ６を録画装置２のＵＳＢ端子１６に再度接続し、録画装置２と外付け型ＨＤＤ６とを再度ペアリングした時をいう。
【００５９】
図７に示すように、ユーザが外付け型ＨＤＤ６を録画装置２のＵＳＢ端子１６に接続した後に（Ｓ４０１）、第２の暗号処理部３０は、メモリ１０ｂから第４の暗号鍵（＝第２の暗号鍵）を読み出し、読み出した第４の暗号鍵により、外付け型ＨＤＤ６の暗号化を解除できるか否かを判定する（Ｓ４０２）。第４の暗号鍵により外付け型ＨＤＤ６の暗号化を解除できない場合には（Ｓ４０２でＮＯ）、録画装置２の制御部１２は、外付け型ＨＤＤ６をフォーマットし（Ｓ４０３）、録画装置２と外付け型ＨＤＤ６とを再度ペアリングする（Ｓ４０４）。
【００６０】
なお、第４の暗号鍵により外付け型ＨＤＤ６の暗号化を解除できない場合としては、外付け型ＨＤＤ６が第２の暗号鍵により暗号化されていない、すなわち、外付け型ＨＤＤ６が録画装置２以外の電子機器と既にペアリングされていた場合が考えられる。
【００６１】
一方、図８に示すように、第４の暗号鍵により外付け型ＨＤＤ６の暗号化を解除できる場合には（Ｓ４０２でＹＥＳ）、録画装置２の制御部１２は、外付け型ＨＤＤ６をフォーマットすることなく、録画装置２と外付け型ＨＤＤ６とを再度ペアリングする（Ｓ４０４）。
【００６２】
なお、第４の暗号鍵により外付け型ＨＤＤ６の暗号化を解除できる場合としては、外付け型ＨＤＤ６が第２の暗号鍵により暗号化されている、すなわち、外付け型ＨＤＤ６が録画装置２と既にペアリングされていた場合が考えられる。
【００６３】
その後、図８に示すように、第１の暗号処理部２８は、外付け型ＨＤＤ６から第１の暗号鍵を読み出し（Ｓ４０５）、読み出した第１の暗号鍵をメモリ１０ｂに記憶させる（Ｓ４０６）。
【００６４】
その後、図８に示すように、チューナ８は、放送番組を受信する（Ｓ４０７）。第１の暗号処理部２８は、メモリ１０ｂに記憶された第１の暗号鍵により、チューナ８で受信された放送番組を暗号化する（Ｓ４０８）。録画部２４は、第１の暗号処理部２８により暗号化された放送番組を、外付け型ＨＤＤ６に録画する（Ｓ４０９）。
【００６５】
なお、外付け型ＨＤＤ６に録画された放送番組を視聴（再生）する際には、第１の暗号処理部２８は、メモリ１０ａに記憶された第１の暗号鍵により、外付け型ＨＤＤ６に録画された放送番組の暗号化を解除すればよい。
【００６６】
［１−３．効果］
上述したように、本実施の形態では、生成部２６は、例えばＢ−ＣＡＳカード３２の番号に基づいて第２の暗号鍵を生成し、第２の暗号処理部３０は、当該第２の暗号鍵により外付け型ＨＤＤ６を暗号化する。そのため、例えば録画装置２の修理時に制御基板３４を交換した場合であっても、生成部２６は、例えばＢ−ＣＡＳカード３２の番号に基づいて、第２の暗号鍵と同一の第４の暗号鍵を生成する（すなわち、第２の暗号鍵を復元する）ことができる。
【００６７】
これにより、録画装置２と外付け型ＨＤＤ６との再ペアリング時に、第４の暗号鍵により外付け型ＨＤＤ６の暗号化を解除できるので、外付け型ＨＤＤ６をフォーマットすることなく、録画装置２と外付け型ＨＤＤ６とを再度ペアリングすることができる。その結果、外付け型ＨＤＤ６に録画された放送番組が消去されてしまうのを回避することができる。
【００６８】
以上のように、例えば録画装置２の修理等を行った場合であっても、ユーザは、外付け型ＨＤＤ６に録画された放送番組を視聴することができる。
【００６９】
さらに、上述したように、録画装置２と外付け型ＨＤＤ６との初回ペアリング時に、第１の暗号処理部２８は、第１の暗号鍵をメモリ１０ａから読み出し、読み出した第１の暗号鍵を外付け型ＨＤＤ６に記憶させる。これにより、例えば録画装置２の修理時に制御基板３４を交換した場合であっても、第１の暗号処理部２８は、外付け型ＨＤＤ６から第１の暗号鍵を読み出すことにより、外付け型ＨＤＤ６に録画された放送番組の暗号化を第１の暗号鍵で解除することができる。その結果、ユーザは、外付け型ＨＤＤ６に録画された放送番組を視聴することができる。
【００７０】
（実施の形態２）
［２−１．録画装置の構成］
図１を再度参照しながら、実施の形態２に係る録画装置２Ａの構成について説明する。図１は、実施の形態２に係る録画装置２Ａの構成を示すブロック図である。なお、以下の各実施の形態において、上記実施の形態１の構成要素と同一の構成要素には同一の符号を付して、その説明を省略する。
【００７１】
図１に示すように、実施の形態２に係る録画装置２Ａでは、制御部１２Ａによる処理が上記実施の形態１と異なっている。主な相違点として、第１の暗号処理部２８は、メモリ１０に記憶された第５の暗号鍵により、チューナ８で受信された放送番組を暗号化及び暗号化を解除し、且つ、内蔵ＨＤＤ２０を暗号化及び暗号化を解除する。また、録画装置２Ａと外付け型ＨＤＤ６との初回ペアリング時において、第２の暗号処理部３０は、第２の暗号鍵をメモリ１０から読み出し、読み出した第２の暗号鍵を内蔵型ＨＤＤ２０に記憶させる。
【００７２】
また、録画装置２Ａの出荷時において、内蔵型ＨＤＤ２０は、第５の暗号鍵により予め暗号化されている。第５の暗号鍵は、例えば録画装置２Ａに対して付与されたシリアル番号に基づいて生成される。なお、シリアル番号は、例えば制御基板３４に貼付されたバーコードをバーコードリーダーで読み取ることにより取得される。
【００７３】
［２−２．録画装置の動作］
［２−２−１．初回起動時の動作］
次に、実施の形態２に係る録画装置２Ａの初回起動時の動作について説明する。
【００７４】
上記実施の形態１と同様に、録画装置２Ａが起動した後に、生成部２６は、Ｂ−ＣＡＳカード３２の番号に基づいて第２の暗号鍵を生成する。生成部２６は、生成した第２の暗号鍵をメモリ１０ｃ（後述する図１０参照）に記憶させる。なお、メモリ１０ｃは、録画装置２Ａの出荷時に、制御基板３４に実装されていたメモリ１０である。メモリ１０ｃには、予め、第５の暗号鍵が記憶されている。
【００７５】
第５の暗号鍵は、チューナ８で受信された放送番組を暗号化及び暗号化を解除し、且つ、内蔵ＨＤＤ２０を暗号化及び暗号化を解除するための暗号鍵である。なお、本明細書において、「内蔵型ＨＤＤ２０を暗号化及び暗号化を解除する」とは、内蔵型ＨＤＤ２０内のファイルシステム全体を暗号化及び暗号化を解除することを意味する。
【００７６】
［２−２−２．外付け型ＨＤＤとの初回ペアリング時の動作］
次に、図９及び図１０を参照しながら、実施の形態２に係る録画装置２Ａと外付け型ＨＤＤ６との初回ペアリング時の動作について説明する。図９は、実施の形態２に係る録画装置２Ａと外付け型ＨＤＤ６との初回ペアリング時の動作の流れを示すフローチャートである。図１０は、実施の形態２に係る録画装置２Ａと外付け型ＨＤＤ６との初回ペアリング時の動作を説明するための概念図である。なお、図９のフローチャートにおいて、上記実施の形態１で説明した図３のフローチャートの処理と同一の処理には同一のステップ番号を付して、その説明を省略する。
【００７７】
図９に示すように、上記実施の形態１と同様に、ステップＳ２０１〜Ｓ２０６が実行される。その後、図１０に示すように、第２の暗号処理部３０は、第２の暗号鍵をメモリ１０ｃから読み出し、読み出した第２の暗号鍵を内蔵型ＨＤＤ２０に記憶させる（Ｓ５０１）。
【００７８】
その後、ステップＳ２０８が実行され、図１０に示すように、第１の暗号処理部２８は、メモリ１０ｃに記憶された第５の暗号鍵により、チューナ８で受信された放送番組を暗号化する（Ｓ５０２）。その後、ステップＳ２１０が実行される。
【００７９】
［２−２−３．修理後起動時の動作］
次に、図１１及び図１２を参照しながら、実施の形態２に係る録画装置２Ａの修理後起動時の動作について説明する。図１１は、実施の形態２に係る録画装置２Ａの修理後起動時の動作の流れを示すフローチャートである。図１２は、実施の形態２に係る録画装置２Ａの修理後起動時の動作を説明するための概念図である。なお、図１１のフローチャートにおいて、上記実施の形態１で説明した図５のフローチャートの処理と同一の処理には同一のステップ番号を付して、その説明を省略する。
【００８０】
図１１に示すように、ステップＳ３０１の後、第５の暗号鍵が生成され（Ｓ６０１）、生成された第５の暗号鍵がメモリ１０ｄに記憶される（Ｓ６０２）。なお、メモリ１０ｄは、交換後の制御基板３４に実装されているメモリ１０である。
【００８１】
その後、第１の暗号処理部２８は、メモリ１０ｄに記憶された第５の暗号鍵により、内蔵型ＨＤＤ２０の暗号化を解除できるか否かを判定する（Ｓ６０３）。第５の暗号鍵により内蔵型ＨＤＤ２０の暗号化を解除できない場合には（Ｓ６０３でＮＯ）、処理を終了する。
【００８２】
一方、図１２に示すように、第５の暗号鍵により内蔵型ＨＤＤ２０の暗号化を解除できる場合には（Ｓ６０３でＹＥＳ）、第２の暗号処理部３０は、内蔵型ＨＤＤ２０から第２の暗号鍵を読み出し（Ｓ６０４）、読み出した第２の暗号鍵をメモリ１０ｄに記憶させる（Ｓ６０５）。
【００８３】
［２−２−４．外付け型ＨＤＤとの再ペアリング時の動作］
次に、図１３及び図１４を参照しながら、実施の形態２に係る録画装置２Ａと外付け型ＨＤＤ６との再ペアリング時の動作について説明する。図１３は、実施の形態２に係る録画装置２Ａと外付け型ＨＤＤ６との再ペアリング時の動作の流れを示すフローチャートである。図１４は、実施の形態２に係る録画装置２Ａと外付け型ＨＤＤ６との再ペアリング時の動作を説明するための概念図である。なお、図１３のフローチャートにおいて、上記実施の形態１で説明した図７のフローチャートの処理と同一の処理には同一のステップ番号を付して、その説明を省略する。
【００８４】
図１３に示すように、ステップＳ４０１の後、第２の暗号処理部３０は、メモリ１０ｄに記憶された第２の暗号鍵により、外付け型ＨＤＤ６の暗号化を解除できるか否かを判定する（Ｓ７０１）。第２の暗号鍵により外付け型ＨＤＤ６の暗号化を解除できない場合には（Ｓ７０１でＮＯ）、録画装置２Ａの制御部１２Ａは、外付け型ＨＤＤ６をフォーマットし（Ｓ４０３）、録画装置２Ａと外付け型ＨＤＤ６とを再度ペアリングする（Ｓ４０４）。
【００８５】
一方、図１４に示すように、第２の暗号鍵により外付け型ＨＤＤ６の暗号化を解除できる場合には（Ｓ７０１でＹＥＳ）、録画装置２Ａの制御部１２Ａは、外付け型ＨＤＤ６をフォーマットすることなく、録画装置２Ａと外付け型ＨＤＤ６とを再度ペアリングする（Ｓ４０４）。
【００８６】
その後、ステップＳ４０７が実行され、図１４に示すように、第１の暗号処理部２８は、メモリ１０ｄに記憶された第５の暗号鍵により、チューナ８で受信された放送番組を暗号化する（Ｓ７０２）。その後、ステップＳ４０９が実行される。
【００８７】
［２−３．効果］
上述したように、本実施の形態では、録画装置２Ａと外付け型ＨＤＤ６との初回ペアリング時に、第２の暗号処理部３０は、第２の暗号鍵をメモリ１０ｃから読み出し、読み出した第２の暗号鍵を内蔵型ＨＤＤ２０に記憶させる。これにより、例えば録画装置２Ａの修理時に制御基板３４を交換した場合であっても、第２の暗号処理部３０は、内蔵型ＨＤＤ２０から第２の暗号鍵を読み出し、読み出した第２の暗号鍵をメモリ１０ｄに記憶させることができる。
【００８８】
その結果、例えば録画装置２Ａの修理等を行った後に、録画装置２Ａと外付け型ＨＤＤ６とを再度ペアリングした際に、第２の暗号鍵により外付け型ＨＤＤ６の暗号化を解除することができる。これにより、外付け型ＨＤＤ６をフォーマットしなくても済み、ユーザは、外付け型ＨＤＤ６に録画された放送番組を視聴することができる。
【００８９】
（実施の形態３）
［３−１．録画装置の構成］
図１を再度参照しながら、実施の形態３に係る録画装置２Ｂの構成について説明する。図１は、実施の形態３に係る録画装置２Ｂの構成を示すブロック図である。
【００９０】
図１に示すように、実施の形態３に係る録画装置２Ｂでは、制御部１２Ｂによる処理が上記実施の形態２と異なっている。主な相違点として、上記実施の形態１と同様に、録画装置２Ｂと外付け型ＨＤＤ６との初回ペアリング時において、第１の暗号処理部２８は、第１の暗号鍵を外付け型ＨＤＤ６に記憶させる。また、上記実施の形態１と同様に、録画装置２Ｂと外付け型ＨＤＤ６との再ペアリング時において、第１の暗号処理部２８は、外付け型ＨＤＤ６から第１の暗号鍵を読み出し、読み出した第１の暗号鍵をメモリ１０に記憶させる。
【００９１】
［３−２．録画装置の動作］
［３−２−１．初回起動時の動作］
実施の形態３に係る録画装置２Ｂの初回起動時の動作については、上記実施の形態２と同様であるので、説明を省略する。
【００９２】
なお、本実施の形態では、メモリ１０ｅ（後述する図１６参照）には、予め、第１の暗号鍵及び第５の暗号鍵が記憶されている。メモリ１０ｅは、録画装置２Ｂの出荷時に、制御基板３４に実装されていたメモリ１０である。第１の暗号鍵は、チューナ８で受信された放送番組を暗号化及び暗号化を解除するための暗号鍵である。第５の暗号鍵は、内蔵ＨＤＤ２０を暗号化及び暗号化を解除するための暗号鍵である。
【００９３】
［３−２−２．外付け型ＨＤＤとの初回ペアリング時の動作］
次に、図１５及び図１６を参照しながら、実施の形態３に係る録画装置２Ｂと外付け型ＨＤＤ６との初回ペアリング時の動作について説明する。図１５は、実施の形態３に係る録画装置２Ｂと外付け型ＨＤＤ６との初回ペアリング時の動作の流れを示すフローチャートである。図１６は、実施の形態３に係る録画装置２Ｂと外付け型ＨＤＤ６との初回ペアリング時の動作を説明するための概念図である。なお、図１５のフローチャートにおいて、上記実施の形態２で説明した図９のフローチャートの処理と同一の処理には同一のステップ番号を付して、その説明を省略する。
【００９４】
図１５に示すように、上記実施の形態１と同様に、ステップＳ２０１〜Ｓ２０６及びＳ５０１が実行される。その後、図１６に示すように、第１の暗号処理部２８は、第１の暗号鍵をメモリ１０ｅから読み出し、読み出した第１の暗号鍵を外付け型ＨＤＤ６に記憶させる（Ｓ８０１）。
【００９５】
その後、ステップＳ２０８が実行され、図１６に示すように、第１の暗号処理部２８は、メモリ１０ｅに記憶された第１の暗号鍵により、チューナ８で受信された放送番組を暗号化する（Ｓ８０２）。その後、ステップＳ２１０が実行される。
【００９６】
［３−２−３．修理後起動時の動作］
実施の形態３に係る録画装置２Ｂの修理後起動時の動作については、上記実施の形態２と同様であるので、説明を省略する。
【００９７】
［３−２−４．外付け型ＨＤＤとの再ペアリング時の動作］
次に、図１７及び図１８を参照しながら、実施の形態３に係る録画装置２Ｂと外付け型ＨＤＤ６との再ペアリング時の動作について説明する。図１７は、実施の形態３に係る録画装置２Ｂと外付け型ＨＤＤ６との再ペアリング時の動作の流れを示すフローチャートである。図１８は、実施の形態３に係る録画装置２Ｂと外付け型ＨＤＤ６との再ペアリング時の動作を説明するための概念図である。なお、図１７のフローチャートにおいて、上記実施の形態２で説明した図１３のフローチャートの処理と同一の処理には同一のステップ番号を付して、その説明を省略する。
【００９８】
図１７に示すように、ステップＳ４０１，Ｓ７０１，Ｓ４０３及びＳ４０４が実行される。その後、図１８に示すように、第１の暗号処理部２８は、外付け型ＨＤＤ６から第１の暗号鍵を読み出し（Ｓ９０１）、読み出した第１の暗号鍵をメモリ１０ｆに記憶させる（Ｓ９０２）。なお、メモリ１０ｆは、交換後の制御基板３４に実装されているメモリ１０である。
【００９９】
その後、ステップＳ４０７が実行され、図１８に示すように、第１の暗号処理部２８は、メモリ１０ｆに記憶された第１の暗号鍵により、チューナ８で受信された放送番組を暗号化する（Ｓ９０３）。その後、ステップＳ４０９が実行される。
【０１００】
［３−３．効果］
上述したように、本実施の形態では、上記実施の形態１及び２と同様の効果を得ることができる。
【０１０１】
（変形例）
以上、本発明の実施の形態１〜３に係る録画装置及び録画装置の制御方法について説明したが、本発明は、これらの実施の形態１〜３に限定されるものではない。例えば、上記各実施の形態をそれぞれ組み合わせてもよい。
【０１０２】
例えば、上記各実施の形態において、録画装置２（２Ａ，２Ｂ）の修理時に、外付け型ＨＤＤ６の暗号化を解除するための解除鍵をメモリ１０に書き込んでもよい。この場合、例えばサービスマンがＵＳＢメモリをＵＳＢ端子１６に接続することにより、ＵＳＢメモリに格納された解除鍵がメモリ１０に書き込まれる。これにより、第２の暗号鍵及び解除鍵により外付け型ＨＤＤ６の暗号化が解除されるので、セキュリティを強化することができる。
【０１０３】
また、上記の各装置は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード及びマウス等から構成されるコンピュータシステムとして構成されてもよい。ＲＡＭ又はハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１０４】
さらに、上記の各装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ及びＲＡＭ等を含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０５】
さらにまた、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ及びＲＡＭ等から構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はこのモジュールは、耐タンパ性を有するとしてもよい。
【０１０６】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１０７】
さらに、本発明は、上記コンピュータプログラム又は上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ、半導体メモリ等に記録したものとしてもよい。また、これらの非一時的な記録媒体に記録されている上記デジタル信号であるとしてもよい。
【０１０８】
また、本発明は、上記コンピュータプログラム又は上記デジタル信号を、電気通信回線、無線又は有線通信回線、インターネットを代表とするネットワーク、データ放送等を経由して伝送するものとしてもよい。
【０１０９】
また、本発明は、マイクロプロセッサ及びメモリを備えたコンピュータシステムであって、上記メモリは、上記コンピュータプログラムを記憶しており、上記マイクロプロセッサは、上記コンピュータプログラムに従って動作するとしてもよい。
【０１１０】
また、上記プログラム又は上記デジタル信号を上記非一時的な記録媒体に記録して移送することにより、又は、上記プログラム又は上記デジタル信号を上記ネットワーク等を経由して移送することにより、独立した他のコンピュータシステムにより実施するとしてもよい。
【０１１１】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【産業上の利用可能性】
【０１１２】
本発明の録画装置は、例えば放送番組を録画するためのＢＤ／ＨＤＤレコーダ等として適用することができる。
【符号の説明】
【０１１３】
２，２Ａ，２Ｂ  録画装置
４  表示装置
６  外付け型ＨＤＤ
８  チューナ
１０，１０ａ，１０ｂ，１０ｃ，１０ｄ，１０ｅ，１０ｆ  メモリ
１２，１２Ａ，１２Ｂ  制御部
１４  ＨＤＭＩ（登録商標）端子
１６  ＵＳＢ端子
１８  ディスクドライブ
２０  内蔵型ＨＤＤ
２２  アンテナ
２４  録画部
２６  生成部
２８  第１の暗号処理部
３０  第２の暗号処理部
３２  Ｂ−ＣＡＳカード
３４  制御基板
【図１】
2019220881.tif 000003
【図２】
2019220881.tif 000004
【図３】
2019220881.tif 000005
【図４】
2019220881.tif 000006
【図５】
2019220881.tif 000007
【図６】
2019220881.tif 000008
【図７】
2019220881.tif 000009
【図８】
2019220881.tif 000010
【図９】
2019220881.tif 000011
【図１０】
2019220881.tif 000012
【図１１】
2019220881.tif 000013
【図１２】
2019220881.tif 000014
【図１３】
2019220881.tif 000015
【図１４】
2019220881.tif 000016
【図１５】
2019220881.tif 000017
【図１６】
2019220881.tif 000018
【図１７】
2019220881.tif 000019
【図１８】
2019220881.tif 000020